(57)【要約】【課題】  取り替え用包装パックの取付けが容易で、取付けの際に包装パック内の液状物が漏れ出る心配が無く、包装パック内に湯水や塵埃などが混入する恐れも無い包装用具を提供する。【解決手段】  液状物が収容される袋本体部２６、および、雄ねじ３２が螺刻され鍔部３４が突設されて袋本体部と一体化された袋口部２８からなる包装パック１２と、吐出ノズル１８を有し弾発的に押し下げ可能な頭部１８、包装パックの袋口部の雄ねじに螺合する雌ねじが螺刻されたキャップ状連結部２０、および、下端に吸い込み口２２を有し袋本体部内へ挿入される吸い上げパイプ２４を備えたポンプ１０と、包装パックの袋口部が横方向から差し入れられて遊嵌する湾入状部が形設され袋口部の鍔部を支持する支持板部、支持板部に一体に連接した支柱部、および、支柱部の下端部に一体に連接した台板部を有し、包装パックを起立姿勢で保持する保持具とを備えた。【選択図】  図１
0003109595.tif 000002
【実用新案登録請求の範囲】
【請求項１】
柔軟性材料によって密閉袋状に形成され、上辺部に開口を有し、液状物が収容される袋本体部、および、硬質材料によって円筒状に形成され、外周面の上部に雄ねじが螺刻されるとともに、その雄ねじ形成部の下側に鍔部が突設され、その鍔部より下側が前記袋本体部の開口を通して袋本体部内へ挿入され、外周面の下部が前記袋本体部の開口内面と液密に密着して袋本体部と一体化された袋口部からなる包装パックと、
吐出ノズルを有し弾発的に押し下げ可能な頭部、前記包装パックの前記袋口部の雄ねじに螺合する雌ねじが内周面に螺刻されたキャップ状連結部、および、下端に吸い込み口を有し、その吸い込み口が前記包装パックの前記袋本体部の内底部付近に位置するように袋本体部内へ挿入される吸い上げパイプを備え、前記頭部を手で押し下げることにより前記吐出ノズルから液状物を間欠的に吐出するポンプと、
前記包装パックの前記袋口部が横方向から差し入れられて遊嵌する湾入状部が形設され、上面が前記袋口部の鍔部の下面に当接して鍔部を支持する支持板部、この支持板部に一体に連接した支柱部、および、この支柱部の下端部に一体に連接した台板部を有し、前記包装パックを起立姿勢で保持する保持具と、
を備えたことを特徴とする液状物の包装用具。
【請求項２】
前記保持具の前記支持板部の直上に、前記包装パックの前記袋口部が横方向から差し入れられて遊嵌する湾入状部が形設され前記支柱部に一体に連接された補助板部が、支持板部との間に前記袋口部の鍔部が横方向から差し入れられて遊嵌する隙間を設けて支持板部と平行に配設された請求項１に記載の液状物の包装用具。
【請求項３】
柔軟性材料によって密閉袋状に形成され、上辺部に開口を有し、液状物が収容される袋本体部と、
硬質材料によって円筒状に形成され、外周面の上部に雄ねじが螺刻されるとともに、その雄ねじ形成部の下側に鍔部が突設され、その鍔部より下側が前記袋本体部の開口を通して袋本体部内に挿入され、外周面の下部が前記袋本体部の開口内面と液密に密着して袋本体部と一体化された袋口部と、
前記袋口部の雄ねじに螺合する雌ねじが内周面に螺刻され、前記袋口部に螺着されて前記袋本体部内に液状物を密封するキャップと、
を備え、
吐出ノズルを有し弾発的に押し下げ可能な頭部、前記袋口部の雄ねじに螺合する雌ねじが内周面に螺刻されたキャップ状連結部、および、下端に吸い込み口を有し、その吸い込み口が前記袋本体部の内底部付近に位置するように袋本体部内へ挿入される吸い上げパイプを備え、前記頭部を手で押し下げることにより前記吐出ノズルから液状物を吐出させるポンプが、前記キャップが取り外された前記袋口部に前記キャップ状連結部を螺着して装着されることを特徴とする包装パック。
【考案の詳細な説明】
【技術分野】
【０００１】
この考案は、シャンプー、トリートメント、ボディーソープ、ハンドソープ、液体洗剤などの液状物を包装パック内に収容してポンプにより吐出ノズルから吐出する液状物の包装用具、ならびに、その包装用具における取り替え用の包装パックに関する。
【背景技術】
【０００２】
シャンプーやトリートメント、液体ソープなどは、手押しポンプ付きのプラスチック容器に入れられて販売され使用される。そして、容器内のシャンプー等を使い終わったときには、環境保全や資源保護などの観点から、柔軟性のある合成樹脂シート材で形成された包装袋内にシャンプー等を封入した詰め替え用包装パックを購入し、包装パックからシャンプー等をプラスチック容器に詰め替えるようにしている。ところが、この詰め替え操作を煩わしく感じるときもある。また、包装パックは剛性が無く、プラスチック容器の注入口は小さいために、包装パックからプラスチック容器内へシャンプー等を移し替える際に、シャンプー等をプラスチック容器の注入口から外へこぼしてしまう、といったことも往々にして起こる。そこで、詰め替え用包装パック自体に手押しポンプを装着して、包装パックから直接にシャンプー等を注ぎ出すようにする、といった種々の提案がなされている。
【０００３】
例えば、詰め替え用包装パックを起立姿勢に保持するパック保持部、および、手押しポンプの、プラスチック容器の注入口に螺合していたキャップ状連結部（首部）と係合する係合部が形設された保持具を用い、その保持具に詰め替え用包装パックを保持するとともに、手押しポンプの、プラスチック容器内へ挿入されていた吸い上げパイプ（脚部）を詰め替え用包装パック内へ深く差し入れた状態で、保持具に手押しポンプを装着して、手押しポンプにより包装パックから直接にシャンプー等を注ぎ出すようにする用具が考案されている（例えば、特許文献１参照。）。また、手押しポンプが取り付けられる枠体にハウジングが一体形成され、そのハウジングに形設されたパック係止部に詰め替え用包装パックを起立姿勢に保持するようにするポンプ付きホルダーが考案されている（例えば、特許文献２参照。）。
【特許文献１】特開平１１−２４５９５８号公報（第２−３頁、図１、図１３）
【特許文献２】特開２０００−８５８６７号公報（第３頁、図１）
【考案の開示】
【考案が解決しようとする課題】
【０００４】
上記したような用具やポンプ付きホルダーに詰め替え用包装パックを取り付けるときは、包装パックの上辺部の一部を開封して開口を形成し、その開口を通して手押しポンプの吸い上げパイプを包装パック内へ挿入したり、手押しポンプの吸い上げパイプ（吸液管）の先端を斜め方向に断裁して鋭利な形状とするなどして、吸い上げパイプの先端を包装パックの一部に突き刺したりする必要がある。このため、用具やポンプ付きホルダーへの包装パックの取付けに手間取ったり、その取付けの際に、剛性の無い包装パックの外面を押圧して包装パック内のシャンプー等が開口や突き刺し孔から漏れ出たりする、といった問題点がある。また、包装パックに形成された開口や突き刺し孔の内面と吸い上げパイプの外面とは必ずしも密着している訳ではなく、その間に多少の隙間が形成されているため、その隙間を通して湯水や塵埃などが包装パック内に混入する恐れがある、といった問題点がある。
【０００５】
この考案は、以上のような事情に鑑みてなされたものであり、取り替え用包装パックの取付けが容易であり、その取付けの際に包装パック内の液状物が漏れ出る心配が無く、包装パック内に湯水や塵埃などが混入する可能性も無い液状物の包装用具を提供すること、ならびに、その包装用具において用いられる取り替え用の包装パックを提供することを目的とする。
【課題を解決するための手段】
【０００６】
請求項１に係る考案は、液状物を包装パック内に収容してポンプにより吐出ノズルから吐出する液状物の包装用具において、柔軟性材料によって密閉袋状に形成され、上辺部に開口を有し、液状物が収容される袋本体部、および、硬質材料によって円筒状に形成され、外周面の上部に雄ねじが螺刻されるとともに、その雄ねじ形成部の下側に鍔部が突設され、その鍔部より下側が前記袋本体部の開口を通して袋本体部内へ挿入され、外周面の下部が前記袋本体部の開口内面と液密に密着して袋本体部と一体化された袋口部からなる包装パックと、吐出ノズルを有し弾発的に押し下げ可能な頭部、前記包装パックの前記袋口部の雄ねじに螺合する雌ねじが内周面に螺刻されたキャップ状連結部、および、下端に吸い込み口を有し、その吸い込み口が前記包装パックの前記袋本体部の内底部付近に位置するように袋本体部内へ挿入される吸い上げパイプを備え、前記頭部を手で押し下げることにより前記吐出ノズルから液状物を間欠的に吐出するポンプと、前記包装パックの前記袋口部が横方向から差し入れられて遊嵌する湾入状部が形設され、上面が前記袋口部の鍔部の下面に当接して鍔部を支持する支持板部、この支持板部に一体に連接した支柱部、および、この支柱部の下端部に一体に連接した台板部を有し、前記包装パックを起立姿勢で保持する保持具とを備えたことを特徴とする。
【０００７】
請求項２に係る考案は、請求項１に記載の包装用具において、前記保持具の前記支持板部の直上に、前記包装パックの前記袋口部が横方向から差し入れられて遊嵌する湾入状部が形設され前記支柱部に一体に連接された補助板部が、支持板部との間に前記袋口部の鍔部が横方向から差し入れられて遊嵌する隙間を設けて支持板部と平行に配設されたことを特徴とする。
【０００８】
請求項３に係る考案は、液状物を包装パック内に収容してポンプにより吐出ノズルから吐出する液状物の包装用具において用いられる取り替え用の包装パックにおいて、柔軟性材料によって密閉袋状に形成され、上辺部に開口を有し、液状物が収容される袋本体部と、硬質材料によって円筒状に形成され、外周面の上部に雄ねじが螺刻されるとともに、その雄ねじ形成部の下側に鍔部が突設され、その鍔部より下側が前記袋本体部の開口を通して袋本体部内に挿入され、外周面の下部が前記袋本体部の開口内面と液密に密着して袋本体部と一体化された袋口部と、前記袋口部の雄ねじに螺合する雌ねじが内周面に螺刻され、前記袋口部に螺着されて前記袋本体部内に液状物を密封するキャップとを備え、吐出ノズルを有し弾発的に押し下げ可能な頭部、前記袋口部の雄ねじに螺合する雌ねじが内周面に螺刻されたキャップ状連結部、および、下端に吸い込み口を有し、その吸い込み口が前記袋本体部の内底部付近に位置するように袋本体部内へ挿入される吸い上げパイプを備え、前記頭部を手で押し下げることにより前記吐出ノズルから液状物を吐出させるポンプが、前記キャップが取り外された前記袋口部に前記キャップ状連結部を螺着して装着されることを特徴とする。
【考案の効果】
【０００９】
請求項１に係る考案の液状物の包装用具においては、包装パックの袋口部を通してポンプの吸い上げパイプを包装パックの袋本体部内へ、吸い上げパイプ下端の吸い込み口が袋本体部の内底部付近に位置するまで挿入し、ポンプのキャップ状連結部を包装パックの袋口部に螺着させる。これにより、包装パックにポンプが取り付けられる。そして、ポンプが取着された包装パックの袋口部を保持具の支持板部の湾入状部へ横方向から差し入れ、袋口部の鍔部を支持板部に係合させる。これにより、保持具に包装パックが起立姿勢で保持され、ポンプの頭部を片手で押し下げることにより包装パック内の液状物を吐出ノズルから吐出することが可能な状態となる。そして、ポンプのキャップ状連結部と包装パックの袋口部とは螺着しており、また、包装パックの袋口部の外周面と袋本体部の開口内面とは液密に密着しているので、包装パックの内部と外気とは確実に遮断される。
したがって、請求項１に係る考案の包装用具を使用すると、取り替え用の包装パックを簡単に取り付けることができ、その取付けの際に包装パック内の液状物が漏れ出る心配が無く、包装パック内に湯水や塵埃などが混入する可能性も無くなる。
【００１０】
請求項２に係る考案の包装用具では、包装パックの袋口部の鍔部が、保持具の支持板部と補助板部とで上・下から挟まれるようにして支持板部と係合するので、包装パックが保持具に対して揺動することが抑えられる。
【００１１】
請求項３に係る考案の包装パックは、その袋口部からキャップが取り外され、袋口部を通してポンプの吸い上げパイプが袋本体部内へ、吸い上げパイプ下端の吸い込み口が袋本体部の内底部付近に位置するまで挿入され、ポンプのキャップ状連結部が袋口部に螺着されることにより、ポンプが取り付けられる。そして、この包装パックは、袋口部の外周面と袋本体部の開口内面とが液密に密着しており、また、袋口部とポンプのキャップ状連結部とは螺着しているので、包装パックの内部と外気とは確実に遮断される。
したがって、請求項３に係る考案の包装パックは、ポンプとの接合が容易であり、その接合の際に袋本体部内の液状物が漏れ出る心配が無く、袋本体部内に湯水や塵埃などが混入する可能性も無くなる。そして、この包装パックは、請求項１に係る考案の包装用具において用いられる取り替え用の包装パックとして好適なものである。
【考案を実施するための最良の形態】
【００１２】
以下、この考案の最良の実施形態について図面を参照しながら説明する。
図１ないし図３は、この考案の実施形態の１例を示し、図１の（ａ）は、液状物の包装用具の構成要素の１つである手押しポンプの斜視図であり、（ｂ）は、同じく構成要素の１つである包装パックの斜視図であり、図２は、手押しポンプを包装パックに取り付けた状態を示す斜視図であり、図３は、この包装用具の構成要素の１つである保持具の斜視図である。
【００１３】
この包装用具は、手押しポンプ１０と包装パック１２と保持具１４とを備えて構成されている。手押しポンプ１０は、図１の（ａ）に示すように、吐出ノズル１６を有し弾発的に押し下げ可能な頭部１８、内周面に雌ねじ（図示せず）が螺刻されたキャップ状連結部２０、および、下端に吸い込み口２２を有する吸い上げパイプ２４を備えている。この手押しポンプ１０は、頭部１８を手で押し下げると、吐出ノズル１６からシャンプー、トリートメント、ボディーソープ、ハンドソープ、液体洗剤などの液状物が間欠的に吐出され、頭部１８から手を放すと、ばね（図示せず）の復元力によって頭部１８が元の位置へ持ち上がるようになっており、頭部１８が持ち上がるときに、吸い込み口２２を通って吸い上げパイプ２４内へ液状物が吸い込まれる。
【００１４】
包装パック１２は、図１の（ｂ）に示すように、柔軟性のある合成樹脂シート材によって密閉袋状に形成され、内部に液状物が収容される袋本体部２６、硬質のプラスチック材料によって円筒状に形成された袋口部２８、および、手押しポンプ１０のキャップ状連結部２０に螺刻された雌ねじと同じ雌ねじ（図示せず）が内周面に螺刻され、袋口部２８に被せて袋口部２８を塞ぐキャップ３０から構成されている。袋本体部２６の上辺部には、一部開口した部分が設けられており、その開口を通して袋口部２８の下部が袋本体部２６内へ挿入されている。そして、袋口部２８の外周面と袋本体部２６の開口内面とが液密に接着されて、袋口部２８が袋本体部２６と一体化されている。袋口部２８の外周面の上部には、手押しポンプ１０のキャップ状連結部２０およびキャップ３０に螺刻された雌ねじと螺合する雄ねじ３２が螺刻されている。また、袋口部２８の外周面の、雄ねじ３２の形成部分の下側に、横方向に張り出した鍔部３４が突設されている。
【００１５】
包装パック１２に手押しポンプ１０を取り付けるときは、包装パック１２の袋口部２８からキャップ３０を取り外し、片方の手で包装パック１２の袋口部２８を把持し、もう一方の手に手押しポンプ１０を持って、包装パック１２の袋口部２８を通して手押しポンプ１０の吸い上げパイプ２４を包装パック１２の袋本体部２６内へ挿入し、吸い上げパイプ２４下端の吸い込み口２２が袋本体部２６の内底部付近に位置する状態にして、手押しポンプ１０のキャップ状連結部２０を包装パック１２の袋口部２８に螺着させるようにする。このような簡単な操作により、包装パック１２に手押しポンプ１０を取り付けることができ、また、その取付けの際に包装パック１２内の液状物が漏れ出る心配が無い。また、手押しポンプ１０が取着された包装パック１２は、その袋本体部２６の内部と外気とが確実に遮断されるため、使用中に包装パック１２内に湯水や塵埃などが混入する恐れが無い。なお、取り替え用の包装パック１２は、図１の（ｂ）に示したように袋口部２８にキャップ３０が螺着された状態で市販され購入されるが、手押しポンプ１０、包装パック１２および保持具１４を備えた包装用具として市販され購入（初回購入）されるときは、通常、図２に示したように最初から手押しポンプ１０が包装パック１２に取り付けられた状態となっている。
【００１６】
保持具１４は、図３に示すように、上下に互いに平行にかつ水平方向に配設された支持板部３６および補助板部４０、これら支持板部３６および補助板部４０に上端部が一体に連接した支柱部４４、ならびに、支柱部４４の下端部に一体に連接した台板部４６から構成されている。支持板部３６および補助板部４０にはそれぞれ、包装パック１２の袋口部２８が横方向から差し入れられて遊嵌する湾入状部３８、４２が形設されている。支持板部３６は、支柱部４４からの張り出し長さが補助板部４０より多少大きくされている。また、支持板部３６とその直上に配置された補助板部４０との間には、包装パック１２の袋口部２８の鍔部３４が横方向から差し入れられて遊嵌する程度の隙間が設けられている。
【００１７】
図２に示したように手押しポンプ１０が取着された包装パック１２を保持具１４に装着するには、手押しポンプ１０の袋口部２８を保持具１４の支持板部３６および補助板部４０の各湾入状部３８、４２へ横方向から差し入れて、図４に部分側面図を、図５に部分正面図をそれぞれ示すように、袋口部２８の鍔部３４を支持板部３６と補助板部４０との間の隙間に挿入し、袋口部２８の鍔部３４を支持板部３６に係合させる。これにより、保持具１４に包装パック１２が起立姿勢で保持され、手押しポンプ１０の頭部１８を片手で押し下げるだけで、包装パック１２内の液状物が吐出ノズル１６から吐出される。このように、包装パック１２を保持具１４に装着する操作も極めて簡単であり、また、手押しポンプ付きのプラスチック容器における場合と全く同様にして、シャンプー等の液状物を吐出ノズル１６から吐出させることができる。
【００１８】
図３に示した保持具１４のように、支持板部３６の直上に僅かな間隔を設けて補助板部４０を配設すると、包装パック１２の袋口部２８の鍔部３４が、保持具１４の支持板部３６と補助板部４０とで上・下から挟まれるようにして支持板部３６と係合し、包装パック１２が保持具１４に対して揺動することが抑えら、包装パック１２を安定させることができるので望ましいが、図６に斜視図を示すように、補助板部４０を設けずに、包装パック１２の袋口部２８が遊嵌する湾入状部５２が形設されている支持板部５０、この支持板部５０に上端部が一体に連接した支柱部５４、および、この支柱部５４の下端部に一体に連接した台板部５６から保持具４８を構成するようにしてもよい。このような構成の保持具４８であっても、包装パック１２の袋口部２８の鍔部３４の下面に支持板部５０の上面が当接して、支持板部５０で鍔部３４を支持することにより、包装パック１２を起立姿勢で保持することができる。
【図面の簡単な説明】
【００１９】
【図１】この考案の実施形態の１例を示し、（ａ）は、液状物の包装用具の構成要素の１つである手押しポンプの斜視図であり、（ｂ）は、同じく構成要素の１つである包装パックの斜視図である。
【図２】図１に示した手押しポンプを包装パックに取り付けた状態を示す斜視図である。
【図３】図１に示した手押しポンプおよび包装パックを備えた包装用具の構成要素の１つである保持具の斜視図である。
【図４】図２に示した手押しポンプ付きの包装パックを、図３に示した保持具に装着した状態を示す部分側面図である。
【図５】図２に示した手押しポンプ付きの包装パックを、図３に示した保持具に装着した状態を示す部分正面図である。
【図６】図３に示した保持具とは異なる構成の保持具を示す斜視図である。
【符号の説明】
【００２０】
１０  手押しポンプ
１２  包装パック
１４、４８  保持具
１６  吐出ノズル
１８  頭部
２０  キャップ状連結部
２２  吸い上げパイプの吸い込み口
２４  吸い上げパイプ
２６  袋本体部
２８  袋口部
３０  キャップ
３２  雄ねじ
３４  鍔部
３６、５０  支持板部
３８、４２、５２  湾入状部
４０  補助板部
４４、５４  支柱部
４６、５６  台板部
【図１】
0003109595.tif 000003
【図２】
0003109595.tif 000004
【図３】
0003109595.tif 000005
【図４】
0003109595.tif 000006
【図５】
0003109595.tif 000007
【図６】
0003109595.tif 000008